(57)【特許請求の範囲】
【請求項１】
直線的に延びて、その長手方向の各部断面が矩形とされる基材と、この基材の外面に貼着される薄板形状で屈曲可能な表面化粧材とを備え、上記基材を水平方向に延びるよう水平姿勢にしてこの基材と表面化粧材とを見たとき、この表面化粧材が、上記基材の上面に貼着される上面化粧材と、上記基材の側面に貼着される側面化粧材とを備えた建材において、
上記基材の側面の上端部に、その外側方に突出する突条体を成形し、上記側面化粧材が、上記基材の幅方向における上記上面化粧材の端部から一体的に延出して上記突条体の外面に貼着される第１側面材と、この第１側面材の延出端部から一体的に延出して上記突条体の下方近傍における上記基材の側面の上部に貼着される第２側面材と、上記基材の側面の下部の外面、および上記第２側面材の外面とに跨って貼着される第３側面材とを備えた建材。
【請求項２】
直線的に延びて、その長手方向の各部断面が矩形とされる基材を備え、この基材が、その長手方向の中途部を構成する基材本体と、上記基材の端部を構成して上記基材本体の端部に一体成形される基材端部とを備え、上記基材を水平方向に延びるよう水平姿勢にしてこの基材を見たとき、上記基材端部における上面と端面とでなす角部を円弧凸面とし、上記基材の外面に貼着される薄板形状で屈曲可能な表面化粧材を備え、この表面化粧材が、上記基材の上面に貼着される上面化粧材と、上記基材の側面に貼着される側面化粧材とを備えた建材において、
上記基材本体の側面の上端部に、その外側方に突出する突条体を成形し、上記側面化粧材が、上記基材の幅方向における上記上面化粧材の端部から一体的に延出して上記基材端部の側面の上部、および上記突条体の各外面にそれぞれ貼着される第１側面材と、この第１側面材の延出端部から一体的に延出して上記突条体の下方近傍における上記基材本体の側面の上部に貼着された第２側面材と、上記基材の側面の下部、上記基材端部に貼着される上記第１側面材の外面、および上記第２側面材の外面とに跨って貼着される第３側面材とを備えた建材。
【請求項３】
上記第２側面材の上端部と、上記第３側面材の上端部とを互いにほぼ同じ高さに位置させた請求項１、もしくは２に記載の建材。
【発明の詳細な説明】
【０００１】
【発明が属する技術分野】
本発明は、断面が矩形で直線的に延びる基材と、この基材の外面に貼着される表面化粧材とを備えた建材に関するものである。
【０００２】
【従来の技術】
上記建材の従来の技術には図６，７で示されるものがある。この図により、上記従来の技術を説明する。
【０００３】
図６，７において、符号1は建築物１で、この建築物１の手摺に用いられる建材２は次のように構成されている。
【０００４】
上記建材２は、ある一方向（水平方向）に直線的に延びて、その長手方向の各部断面が同形同大の矩形とされる木製の基材３を備えている。この基材３は、その長手方向の中途部を構成する基材本体４と、上記基材３の端部を構成して上記基材本体４の端部に一体成形される基材端部５とを備えている。上記基材３は水平方向に延び、かつ、その各部断面での上面６、下面７も水平方向に延びると共に各側面８は鉛直方向に延び、つまり、この基材３は水平姿勢とされている。上記基材３を上記したように水平姿勢にしてこの基材３を見たとき、その基材端部５における上面６と端面１０とでなす角部は円弧凸面１１とされている。
【０００５】
上記建材２は、上記基材３の各外面に全体的に接着材で貼着される薄板形状で屈曲可能な樹脂製の表面化粧材１３を備え、この表面化粧材１３により、上記建材２の見栄えの向上が図られている。上記基材３を水平姿勢にしてこの基材３と表面化粧材１３とを見たとき、上記表面化粧材１３は、上記基材３の上面６に貼着される上面化粧材１４と、下面７に貼着される下面化粧材１５と、各側面８にそれぞれ貼着される側面化粧材１６とを備え、これら上面化粧材１４、下面化粧材１５、および側面化粧材１６は互いに個別に成形されている。
【０００６】
上記建材２を成形する場合には、まず、上記基材３の上面６と下面７にそれぞれ上面化粧材１４と下面化粧材１５とを貼着して、組み合せ体（３，１４，１５）を成形する。次に、この組み合せ体（３，１４，１５）の各側面を機械加工して平坦にし、上記基材３の側面８と、この基材３の幅方向における上記上面化粧材１４と下面化粧材１５の各端面とを互いに面一にさせる。次に、上記組み合せ体（３，１４，１５）の各側面にそれぞれ側面化粧材１６を貼着させれば、建材２が成形される。
【０００７】
【発明が解決しようとする課題】
ところで、上記従来の技術では、次のような問題点がある。
【０００８】
即ち、上記建材２では、側面化粧材１６の上端部の端面が全体的に外部に露出して、これが外観上容易に見えるため、この建材２の表面は薄板による化粧材の貼着構造であるということが容易に判断されることとなり、これは、建材２の見栄えを低下させるものであって、好ましくない。また、上記したように側面化粧材１６の上端部の端面が全体的に外部に露出するため、上記建材２の外面を手ざわりしたとき、上記側面化粧材１６の端面により、円滑な手ざわり感が低下させられるという問題点もある。
【０００９】
そこで、上記上面化粧材１４と側面化粧材１６とを一体成形して、この側面化粧材１６の上端部の端面が見えないようにすることが考えられる。ここで、上記上面化粧材１４と側面化粧材１６とは一般に平坦な化粧材の素材から成形されるものである。そして、上記基材本体４の外面に貼着される上面化粧材１４と側面化粧材１６とを互いに一体成形した場合には、これら上面化粧材１４と側面化粧材１６とは単に直角に屈曲した形状であり、このため、互いに一体成形される上面化粧材１４と側面化粧材１６とを上記平坦な素材から成形することは容易にできる。
【００１０】
しかし、上記基材端部５の上面６は円弧凸面１１とされていて、この基材端部５の外面に貼着される上面化粧材１４と側面化粧材１６とを互いに一体成形した場合には、これら上面化粧材１４と側面化粧材１６とは三次元的な立体形状なる。このため、これら上面化粧材１４と側面化粧材１６とを上記平坦な素材から成形しようとすると、上記側面化粧材１６にしわが発生することから、このしわを除去する分の切り欠きを上記側面化粧材１６に成形する必要が生じるが、このようにすると、これら切り欠きが外観上容易に見えることとなり、これも、建材２の見栄えを低下させ、また、手ざわり感を低下させることとなって、好ましくない。
【００１１】
本発明は、上記のような事情に注目してなされたもので、断面が矩形で直線的に延びる基材と、この基材の外面に貼着される表面化粧材とを備えた建材において、この建材の見栄えや手ざわり感を向上させることを課題とする。
【００１２】
【課題を解決するための手段】
上記課題を解決するための本発明の建材は、次の如くである。なお、この項において各用語に付記した符号は、本発明の技術的範囲を後述の「発明の実施の形態」の項の内容に限定解釈するものではない。
【００１３】
請求項１の発明は、直線的に延びて、その長手方向の各部断面が矩形とされる基材３と、この基材３の外面に貼着される薄板形状で屈曲可能な表面化粧材１３とを備え、上記基材３を水平方向に延びるよう水平姿勢にしてこの基材３と表面化粧材１３とを見たとき、この表面化粧材１３が、上記基材３の上面６に貼着される上面化粧材１４と、上記基材３の側面８に貼着される側面化粧材１６とを備えた建材において、
【００１４】
上記基材３の側面８の上端部に、その外側方に突出する突条体２０を成形し、上記側面化粧材１６が、上記基材３の幅方向における上記上面化粧材１４の端部から一体的に延出して上記突条体２０の外面に貼着される第１側面材２１と、この第１側面材２１の延出端部から一体的に延出して上記突条体２０の下方近傍における上記基材３の側面の上部に貼着される第２側面材２２と、上記基材３の側面の下部の外面、および上記第２側面材２２の外面とに跨って貼着される第３側面材２３とを備えたものである。
【００１５】
請求項２の発明は、直線的に延びて、その長手方向の各部断面が矩形とされる基材３を備え、この基材３が、その長手方向の中途部を構成する基材本体４と、上記基材３の端部を構成して上記基材本体４の端部に一体成形される基材端部５とを備え、上記基材３を水平方向に延びるよう水平姿勢にしてこの基材３を見たとき、上記基材端部５における上面６と端面１０とでなす角部を円弧凸面１１とし、上記基材３の外面に貼着される薄板形状で屈曲可能な表面化粧材１３を備え、この表面化粧材１３が、上記基材３の上面６に貼着される上面化粧材１４と、上記基材３の側面８に貼着される側面化粧材１６とを備えた建材において、
【００１６】
上記基材本体４の側面８の上端部に、その外側方に突出する突条体２０を成形し、上記側面化粧材１６が、上記基材３の幅方向における上記上面化粧材１４の端部から一体的に延出して上記基材端部５の側面の上部、および上記突条体２０の各外面にそれぞれ貼着される第１側面材２１と、この第１側面材２１の延出端部から一体的に延出して上記突条体２０の下方近傍における上記基材本体４の側面の上部に貼着された第２側面材２２と、上記基材３の側面の下部、上記基材端部５に貼着される第１側面材２１の外面、および上記第２側面材２２の外面とに跨って貼着される第３側面材２３とを備えたものである。
【００１７】
請求項３の発明は、請求項１、もしくは２の発明に加えて、上記第２側面材２２の上端部と、上記第３側面材２３の上端部とを互いにほぼ同じ高さに位置させたものである。
【００１８】
【発明の実施の形態】
以下、本発明の実施の形態を図面により説明する。
【００１９】
なお、本発明の実施の形態の基本構成は、前記従来の技術のものと同様である。そこで、共通する構成については共通の符号を付してその説明を省略する。
【００２０】
（第１の実施の形態）
【００２１】
図１〜３は、第１の実施の形態を示している。
【００２２】
図１〜３において、上記基材３を水平姿勢にして、この基材３と表面化粧材１３とを見たとき、上記基材本体４の各側面８の上端部にはその外側方に一体的に突出する突条体２０が成形され、この突条体２０は上記各側面８の上端部に沿って直線的に延びている。
【００２３】
上記表面化粧材１３は、上記基材３の幅方向における上記上面化粧材１４の端部から一体的に延出して上記基材端部５の側面８の上部、および上記突条体２０の外面にそれぞれ貼着される第１側面材２１と、この第１側面材２１の延出端部から一体的に延出して上記突条体２０の下方近傍における上記基材本体４の側面８の上部に貼着される第２側面材２２と、上記基材３の側面８の下部、上記基材端部５における第１側面材２１の外面、および第２側面材２２の外面とに跨って貼着される全体として平坦形状の第３側面材２３と、上記基材３の幅方向における上記下面化粧材１５の端部から一体的に延出して上記基材３の側面８の下部に貼着される第４側面材２４とを備え、上記第３側面材２３の下部は上記第４側面材２４の外面に貼着され、この第４側面材２４を介して上記したように基材３の側面８の下部に貼着されている。
【００２４】
上記の場合、基材端部５に貼着された上面化粧材１４と第１側面材２１とは互いに一体成形されていて、これらは三次元的な立体形状とされている。このため、これら上面化粧材１４と第１側面材２１とを平坦な化粧材の素材から成形しようとすると、上記第１側面材２１にしわが発生する。そこで、このしわを除去する分の切り欠き２５が上記第１側面材２１に成形されているが、上記切り欠き２５を含めて上記基材端部５の側面に貼着された上記第１側面材２１の全体が上記第３側面材２３の上記基材端部５側の端部により覆われている。また、上記上面化粧材１４と下面化粧材１５とは上記基材端部５における下面７と、長手方向の端面１０との結合部位置で互いに一体成形されている。
【００２５】
上記第２側面材２２の上端部と、上記基材本体４に貼着された第３側面材２３の上端部とは互いにほぼ同じ高さとされている。また、上記突条体２０の外面に貼着された第１側面材２１の外側方への突出端面と、上記第３側面材２３の上部の外面とは上記基材３の幅方向で互いにほぼ同じところに位置させられている。
【００２６】
また、上記建材２をその断面で見た突条体２０の外面は面取りされ、もしくは円弧断面とされており、これに伴い、この突条体２０の外面に貼着される第１側面材２１の外面も面取りされ、もしくは円弧凸面とされている。
【００２７】
上記構成によれば、直線的に延びて、その長手方向の各部断面が矩形とされる基材３と、この基材３の外面に貼着される薄板形状で屈曲可能な表面化粧材１３とを備え、上記基材３を水平方向に延びるよう水平姿勢にしてこの基材３と表面化粧材１３とを見たとき、この表面化粧材１３が、上記基材３の上面６に貼着される上面化粧材１４と、上記基材３の側面８に貼着される側面化粧材１６とを備えた建材において、
【００２８】
上記基材３の側面８の上端部に、その外側方に突出する突条体２０を成形し、上記側面化粧材１６が、上記基材３の幅方向における上記上面化粧材１４の端部から一体的に延出して上記突条体２０の外面に貼着される第１側面材２１と、この第１側面材２１の延出端部から一体的に延出して上記突条体２０の下方近傍における上記基材３の側面の上部に貼着される第２側面材２２と、上記基材３の側面の下部の外面、および上記第２側面材２２の外面とに跨って貼着される第３側面材２３とを備えている。
【００２９】
このため、上記側面化粧材１６の第３側面材２３の上端部の端面は、上記突条体２０の外面に貼着された第１側面材２１によって覆われ、上記第３側面材２３の端面が全体的に外方に露出するということが防止される。よって、上記第３側面材２３の端面が外観上容易に見えるということが防止されて、この建材２の見栄えが向上すると共に、建材２への手ざわり感も向上する。
【００３０】
また、前記したように、直線的に延びて、その長手方向の各部断面が矩形とされる基材３を備え、この基材３が、その長手方向の中途部を構成する基材本体４と、上記基材３の端部を構成して上記基材本体４の端部に一体成形される基材端部５とを備え、上記基材３を水平方向に延びるよう水平姿勢にしてこの基材３を見たとき、上記基材端部５における上面６と端面１０とでなす角部を円弧凸面１１とし、上記基材３の外面に貼着される薄板形状で屈曲可能な表面化粧材１３を備え、この表面化粧材１３が、上記基材３の上面６に貼着される上面化粧材１４と、上記基材３の側面８に貼着される側面化粧材１６とを備えた建材において、
【００３１】
上記基材本体４の側面８の上端部に、その外側方に突出する突条体２０を成形し、上記側面化粧材１６が、上記基材３の幅方向における上記上面化粧材１４の端部から一体的に延出して上記基材端部５の側面の上部、および上記突条体２０の各外面にそれぞれ貼着される第１側面材２１と、この第１側面材２１の延出端部から一体的に延出して上記突条体２０の下方近傍における上記基材本体４の側面の上部に貼着される第２側面材２２と、上記基材３の側面の下部、上記基材端部５に貼着された上記第１側面材２１の外面、および上記第２側面材２２の外面とに跨って貼着される第３側面材２３とを備えている。
【００３２】
このため、上記したように、基材３の基材端部５が円弧凸面１１を有する場合でも、少なくとも上記基材本体４における側面化粧材１６の第３側面材２３の上端部の端面は、上記突条体２０の外面に貼着された第１側面材２１によって覆われ、上記第３側面材２３の端面が全体的に外方に露出するということが防止される。よって、上記第３側面材２３の端面が外観上容易に見えるということが防止されて、この建材２の見栄えが向上すると共に、建材２への手ざわり感も向上する。
【００３３】
また、前記したように、第２側面材２２の上端部と、上記第３側面材２３の上端部とを互いにほぼ同じ高さに位置させてある。
【００３４】
このため、上記第３側面材２３の上端部の端面は、上記突条体２０の外面に貼着された第１側面材２１に対しより接近して、より確実に覆われ、上記第３側面材２３の端面が全体的に外方に露出するということはより確実に防止される。よって、上記第３側面材２３の端面が外観上容易に見えるということがより確実に防止されて、この建材２の見栄えがより確実に向上すると共に、建材２への手ざわり感もより確実に向上する。
【００３５】
また、前記したように、突条体２０の外面に貼着された第１側面材２１の外側方への突出端面と、上記第３側面材２３の上部の外面とを上記基材３の幅方向で互いにほぼ同じところに位置させてある。
【００３６】
このため、上記基材３の側面８に突条体２０を設けたが、これにかかわらず、上記建材２の側面は平滑な形状とされる。よって、この点でも、上記建材２の見栄えが向上すると共に、建材２への手ざわり感も向上する。
【００３７】
また、前記したように、建材２をその断面で見た突条体２０の外面は面取りされ、もしくは円弧凸面とされており、これに伴い、この突条体２０の外面に貼着される第１側面材２１の外面も面取りされ、もしくは円弧凸面とされており、このため、上記建材２への手ざわり感が向上する。
【００３８】
なお、以上は図示の例によるが、実際の建築物１に上記建材２を適用するときには、上記図示した建材２は水平に延びるようにする他、傾斜させても、柱のように鉛直方向に延びるようにしてもよい。また、上下逆にしたり、横向きにしてもよい。
【００３９】
下記する図４，５は、第２〜３の実施の形態を示している。これら各実施の形態は、前記第１の実施の形態と構成、作用効果において多くの点で共通している。そこで、これら共通するものについては、図面に共通の符号を付してその重複した説明を省略し、異なる点につき主に説明する。また、これら各実施の形態における各部分の構成を、本発明の課題、作用効果に照らして種々組み合せてもよい。
【００４０】
（第２の実施の形態）
【００４１】
図４は、第２の実施の形態を示している。
【００４２】
図４において、上記基材本体４の各側面８の上、下端部にそれぞれ突条体２０が成形されている。上記側面化粧材１６は、上記上面化粧材１４と下面化粧材１５のそれぞれ端部から一体的に延出する第１側面材２１と第２側面材２２とを備え、これら両第２側面材２２，２２の外面に跨るように第３側面材２３が貼着されている。この構成によれば、建材２はあらゆる方向から見て、その見栄えが向上する。また、この建材２は柱や梁にも適用可能である。
【００４３】
（第３の実施の形態）
【００４４】
図５は、第３の実施の形態を示している。
【００４５】
これによれば、下面化粧材１５は設けられておらず、上記基材３の側面８の下部に、上記第２側面材２２とほぼ同じ厚さの段差部２７が成形され、上記第３側面材２３は上記第２側面材２２と、基材３の側面８の下部における上記段差部２７の外面とに跨るようにして貼着されている。
【００４６】
【発明の効果】
本発明による効果は、次の如くである。
【００４７】
請求項１の発明は、直線的に延びて、その長手方向の各部断面が矩形とされる基材と、この基材の外面に貼着される薄板形状で屈曲可能な表面化粧材とを備え、上記基材を水平方向に延びるよう水平姿勢にしてこの基材と表面化粧材とを見たとき、この表面化粧材が、上記基材の上面に貼着される上面化粧材と、上記基材の側面に貼着される側面化粧材とを備えた建材において、
【００４８】
上記基材の側面の上端部に、その外側方に突出する突条体を成形し、上記側面化粧材が、上記基材の幅方向における上記上面化粧材の端部から一体的に延出して上記突条体の外面に貼着される第１側面材と、この第１側面材の延出端部から一体的に延出して上記突条体の下方近傍における上記基材の側面の上部に貼着される第２側面材と、上記基材の側面の下部の外面、および上記第２側面材の外面とに跨って貼着される第３側面材とを備えている。
【００４９】
このため、上記側面化粧材の第３側面材の上端部の端面は、上記突条体の外面に貼着された第１側面材によって覆われ、上記第３側面材の端面が全体的に外方に露出するということが防止される。よって、上記第３側面材の端面が外観上容易に見えるということが防止されて、この建材の見栄えが向上すると共に、建材への手ざわり感も向上する。
【００５０】
請求項２の発明は、直線的に延びて、その長手方向の各部断面が矩形とされる基材を備え、この基材が、その長手方向の中途部を構成する基材本体と、上記基材の端部を構成して上記基材本体の端部に一体成形される基材端部とを備え、上記基材を水平方向に延びるよう水平姿勢にしてこの基材を見たとき、上記基材端部における上面と端面とでなす角部を円弧凸面とし、上記基材の外面に貼着される薄板形状で屈曲可能な表面化粧材を備え、この表面化粧材が、上記基材の上面に貼着される上面化粧材と、上記基材の側面に貼着される側面化粧材とを備えた建材において、
【００５１】
上記基材本体の側面の上端部に、その外側方に突出する突条体を成形し、上記側面化粧材が、上記基材の幅方向における上記上面化粧材の端部から一体的に延出して上記基材端部の側面の上部、および上記突条体の各外面にそれぞれ貼着される第１側面材と、この第１側面材の延出端部から一体的に延出して上記突条体の下方近傍における上記基材本体の側面の上部に貼着された第２側面材と、上記基材の側面の下部、上記基材端部に貼着される上記第１側面材の外面、および上記第２側面材の外面とに跨って貼着される第３側面材とを備えている。
【００５２】
このため、上記したように、基材の基材端部が円弧凸面を有する場合でも、少なくとも上記基材本体における側面化粧材の第３側面材の上端部の端面は、上記突条体の外面に貼着された第１側面材によって覆われ、上記第３側面材の端面が全体的に外方に露出するということが防止される。よって、上記第３側面材の端面が外観上容易に見えるということが防止されて、この建材の見栄えが向上すると共に、建材への手ざわり感も向上する。
【００５３】
請求項３の発明は、上記第２側面材の上端部と、上記第３側面材の上端部とを互いにほぼ同じ高さに位置させてある。
【００５４】
このため、上記第３側面材の上端部の端面は、上記突条体の外面に貼着された第１側面材に対しより接近して、より確実に覆われ、上記第３側面材の端面が全体的に外方に露出するということはより確実に防止される。よって、上記第３側面材の端面が外観上容易に見えるということがより確実に防止されて、この建材の見栄えがより確実に向上すると共に、建材への手ざわり感もより確実に向上する。
【図面の簡単な説明】
【図１】第１の実施の形態で、建材の基材の基材本体における断面図である。
【図２】第１の実施の形態で、建材の展開斜視部分破断図である。
【図３】第１の実施の形態で、建材の部分側面部分破断図である。
【図４】第２の実施の形態で、図１の部分に相当する図である。
【図５】第３の実施の形態で、図１の部分に相当する図である。
【図６】従来の技術で、図２に相当する図である。
【図７】従来の技術で、図１に相当する図である。
【符号の説明】
１      建築物
２      建材
３      基材
４      基材本体
５      基材端部
６      上面
７      下面
８      側面
１０    端面
１１    円弧凸面
１３    表面化粧材
１４    上面化粧材
１５    下面化粧材
１６    側面化粧材
２０    突条体
２１    第１側面材
２２    第２側面材
２３    第３側面材
２５    切り欠き
【図１】
0003655279.tif 000002
【図２】
0003655279.tif 000003
【図３】
0003655279.tif 000004
【図４】
0003655279.tif 000005
【図５】
0003655279.tif 000006
【図６】
0003655279.tif 000007
【図７】
0003655279.tif 000008